【事件の表示】
　特許第３４０５８２６号「毛髪化粧料組成物」の請求項１ないし３に係る特許に対する特許異議の申立てについて、次のとおり決定する。
【結　論】
　訂正を認める。
　特許第３４０５８２６号の請求項１〜３に係る特許を維持する。
【理　由】
１　手続の経緯
 特許第3405826号の請求項1〜3に係る発明についての出願は、平成6年7月19日に特許出願され、平成15年3月7日にその特許の設定登録がされ、その後、谷川睦子より特許異議の申立てがされ、取消しの理由が通知され、その指定期間内である平成16年3月30日に訂正請求がされたものである。
　　　　　　　　　　　　　　　
２　訂正の適否についての判断
　　　　　　　　
（１）　訂正事項
　本件の訂正事項は平成16年3月30日付け訂正請求書の訂正事項ａ〜ｐのとおりのものであり、そのうちの特許請求の範囲に係る訂正は以下の通りである。
　　　　　　　　　　　　　　　
訂正事項ａ
  「【請求項１】（ｉ）１種または２種以上のリン脂質を０.１〜１０重量％、および（ii）炭素数４〜８の脂肪族一価アルコール、およびベンジルアルコール、２−フェニルエタノール、ケイ皮アルコール、フェニルプロパノール、フェノキシエタノール、ベンジルオキシエタノール、トリルアルコール、α−メチルベンジルアルコールおよびジメチルベンジルカルビノールよりなる群から選択される芳香族アルコール、から選択される１種または２種以上のアルコールを０.１〜３０重量％含有してなる毛髪化粧料組成物。」を
「【請求項１】（ｉ）１種または２種以上のリン脂質を０.１〜１０重量％、および（ii）ベンジルアルコール、２−フェニルエタノール、ケイ皮アルコール、フェニルプロパノール、フェノキシエタノール、ベンジルオキシエタノール、トリルアルコール、α−メチルベンジルアルコールおよびジメチルベンジルカルビノールよりなる群から選択される芳香族アルコールから選択される１種または２種以上のアルコールを０.１〜３０重量％含有してなるシャンプーを除く毛髪化粧料組成物。」
と訂正する。
　　　　　　　　　　　　　　　　　　　　　
訂正事項ｂ
「【請求項２】　該１種または２種以上のリン脂質が、大豆レシチン、卵黄レシチンおよびレシチン誘導体よりなる群から選択される請求項１または２記載の毛髪化粧料組成物。」
を
「【請求項２】　該１種または２種以上のリン脂質が、大豆レシチン、卵黄レシチンおよびレシチン誘導体よりなる群から選択される請求項１記載の毛髪化粧料組成物。」
と訂正する。
　　　　　　　
訂正事項ｃ
「【請求項３】　該１種または２種以上のアルコールが、ブチルアルコール、ペンタノール、ヘキサノール、ベンジルアルコール、２−フェニルエタノール、ケイ皮アルコール、フェニルプロパノール、α−メチルベンジルアルコール、フェノキシエタノールおよびジメチルベンジルカルビノールよりなる群から選択される請求項１記載の毛髪化粧料組成物。」を
「【請求項３】　該１種または２種以上のアルコールが、ベンジルアルコール、２−フェニルエタノール、ケイ皮アルコール、フェニルプロパノール、α−メチルベンジルアルコール、フェノキシエタノールおよびジメチルベンジルカルビノールよりなる群から選択される請求項１記載の毛髪化粧料組成物。」と訂正する。
　　　　　　　　　　　
　また、【発明の詳細な説明】についての訂正である訂正事項ｄは、段落【0007】の「炭素数４〜８の脂肪族一価アルコールまたは」を削除し、「毛髪化粧料組成物」を「シャンプーを除く毛髪化粧料組成物」とする訂正、訂正事項ｅは段落【0010】のアルコールの記載から、炭素数４〜８の脂肪族一価アルコール、ブチルアルコール、ペンタノール、ヘキサノールを削除する訂正、訂正事項ｆ〜ｉおよびｋは段落【0014】【0015】【0018】【0019】【0023】においてｎ−ブチルアルコールを使用した実施例２の削除に伴い実施例番号５を４とする訂正、訂正事項ｊは段落【0022】の表１中のｎ−ブチルアルコールを使用した実施例２を削除し、実施例３〜５を２〜４とする訂正、訂正事項ｌ〜ｏは、実施例２の削除に伴い段落【0024】【0025】【0026】【0027】における実施例６以下の番号を繰り上げる訂正、訂正事項ｐは段落【0028】における「炭素数４〜８の脂肪族一価アルコールおよび/または」の記載を削除する訂正をおこなうものである。
　　　　　　　　　　　　　　　
（２）　訂正の目的の適否、新規事項の有無及び拡張・変更の存否
　訂正事項ａは【請求項１】において（ii）のアルコール群から「炭素数４〜８の脂肪族一価アルコール」を削除し、毛髪化粧料組成物を「シャンプーを除く毛髪化粧料組成物」とするものであり、訂正事項ｃは【請求項３】において「ブチルアルコール、ペンタノール、ヘキサノール」を削除する訂正であるから、これらの訂正は特許請求の範囲の減縮を目的とするものである。また、訂正事項ｂは、【請求項２】における「請求項１または２記載の毛髪化粧料組成物」を「請求項１記載の毛髪化粧料組成物」と正すものであって、誤記の訂正を目的とするものである。
　その他の訂正事項ｄ〜ｐは、上記請求項についての訂正内容と明細書の発明の詳細な説明の記載とを整合させるものであって、明瞭でない記載の釈明を目的とするものである。
　そして、これらの訂正はいずれも特許明細書に記載された事項の範囲内の事項であり、実質上、特許請求の範囲を拡張し、又は変更するものでもない。
　　　　　　　　　　　　　
　したがって、上記訂正は、特許法第１２０条の４第２項及び第３項で準用する特許法第１２６条第２〜３項の規定に適合するので、当該訂正を認める。
　　　　　　　　　　　　　　　　　　　　
３　特許異議の申立てについての判断
　　　　
（１）　申立ての理由の概要
　異議申立人は、請求項１〜３に係る発明は、甲第１号証、甲第２号証に記載された発明であり、かつこれらを基に当業者が容易に発明をすることができたものであるから、特許法第２９条第１項３号あるいは同法第２９条２項の規定により、特許を受けることができないものである、また、本件特許明細書には、その発明の詳細な説明が当業者が容易に実施することが出来る程度に発明の効果が記載されていないから特許法第３６条第４項に違反するとして、本件特許を取り消すべきと主張している。
　　　　　　　　　　　　　　　
（２）　本件発明
　本件訂正が認容された結果、本件請求項１〜３に係る発明は、訂正明細書に記載された請求項１〜３に記載された事項により特定されるとおりのものである。以下それぞれを本件発明１、２、３という。
　　　　　　　　　　　　　　　　　　　　　
（３）甲１、２号証の記載の概要
　　　　　　　　　　　　　　　　
甲第１号証；特許庁編　周知・慣用技術集　化粧料及び類似品
　　　　　　昭和59年8月21日発行ｐ92〜96
　シャンプーの防腐剤、殺菌剤としてフェノール類（具体例；フェノキシエタノール）を用いること、コンディショニング剤として使用するタンパク質、アミノ酸類としてレシチンが記載されている。
　　　　　　　　　　　　　　
甲第２号証（特開平4-5219号公報）
　養毛・育毛料の成分として、脂質誘導体（具体例　リン脂質）、奇数の炭素鎖長を有する脂肪族アルコール（具体例　ペンタノール、ヘプタノール）が挙げられ、その配合量は各々0．001〜10％、0．1〜30％であることが記載されている。
　　　　　　　　　　　　　
(4)　判断
（４−１）特許法第２９条第１項３号、同法第２９条第２項について
　甲第１号証はシャンプーの添加物としてフェノール類やレシチンの記載はあるものの、これらを選択的に組み合わせて使用する点についての記載や示唆はなく、また、シャンプー以外の毛髪化粧料組成物についての記載もなされていない。
　また、甲第２号証には、養毛・育毛料の成分としてリン脂質と奇数の炭素鎖長を有する脂肪族アルコールを使用することについての記載はされているが、本件発明１の特定の芳香族アルコールをリン脂質と組み合わせて使用する点についての記載や示唆はなされていない。
　そして、本件発明１はリン脂質と特定の芳香族アルコールの併用により毛髪に柔軟性と平滑性を付与し、且つ柔軟性が長期にわたり持続されるという顕著な効果を奏するものであるから、本件発明１は上記甲第１号証又は甲第２号証に記載のものとは同一でないばかりか、それらの記載から当業者が容易に発明をすることができたということはできない。
　また、本件発明２、３は本件発明１のリン脂質、芳香族アルコールを具体化した発明であるから、本件発明１と同様の理由により甲第１号証又は甲第２号証に記載のものとは同一でないばかりか、それらの記載から当業者が容易に発明をすることができたものとはいえない。
　　　　　　　　　　　　　　
（４−２）特許法第３６条第４項について
　異議申立人は、本件明細書には２−フェニルエタノール、ベンジルアルコール、ジメチルベンジルカービノールの実施例があるだけで、フェノキシアルコール等を用いた実施例がないからこれを用いたときの具体的な効果については不明であり当業者が容易に実施することができる程度に発明の効果が記載されていないとする。
　しかしながら、実施例は出願人が最良の結果をもたらすと思うものをなるべく多種類掲げて記載すれば足り、すべての成分についての実施例を必須とするものではない。そして、本件明細書段落【0011】において「これらのアルコールは、１種あるいは２種以上を任意に組み合わせて含有させることができ・・・0.5〜10重量％が特に好ましい。含有量が0.1重量％未満であるとリン脂質が毛髪に十分に吸着せず、また30重量％を超えて含有させても、それ以上の向上は認められない。」として、アルコール含有量が0.1重量％以上であることが重要であるが、特定の芳香族アルコールのうちのどの種類を使用するかに左右されるものではないことが明示されている。さらに、フェノキシアルコール等は毛髪化粧品分野においてベンジルアルコールやフェニルアルコールと同様に使用可能な芳香族アルコールとして広く知られているところ、本件発明においては、フェノキシアルコール等は効果を期待できないとする合理的根拠も見いだせない。
　したがって、上記理由によっては本件明細書の記載に不備があるとすることはできない。
　　　　　　　　　　　　　　　　
４　むすび
 　以上のとおりであるから、特許異議申立ての理由及び証拠によっては本件発明１〜３についての特許を取り消すことはできない。
　また、他に本件特許を取り消すべき理由を発見しない。
　よって、結論のとおり決定する。
【異議決定日】
平成１６年４月２６日（２００４．４．２６）
【訂正の要旨】
審決（決定）の【理由】欄参照。
（５４）【発明の名称】
毛髪化粧料組成物
（５７）【特許請求の範囲】
　【請求項１】　（ｉ）１種または２種以上のリン脂質を０．１〜１０重量％、および（ｉｉ）
　
　
シャンプーを除く
　【請求項２】　該１種または２種以上のリン脂質が、大豆レシチン、卵黄レシチンおよびレシチン誘導体よりなる群から選択される請求項１
　
　【請求項３】　該１種または２種以上のアルコールが、
　
【発明の詳細な説明】
　【０００１】
　【産業上の利用分野】
　本発明は、毛髪に優れた柔軟性および平滑性を付与し、かつ柔軟性が長期にわたり持続される毛髪化粧料組成物に関する。
　【０００２】
　【従来の技術】
　従来より、毛髪に柔軟性を付与するために様々な試みがなされ、現在のヘアトリートメント剤、ヘアリンス剤等の多くの毛髪化粧料がこの目的で開発されている。これらの毛髪化粧料においては、カチオン性界面活性剤および高級アルコール等の油性成分が配合されており、カチオン性界面活性剤の有する正電荷と、毛髪を構成するケラチンタンパク質のカルボニル基等の負電荷とが静電気的に引き合って毛髪に吸着することにより柔軟性が付与されると考えられている。
　【０００３】
　しかしながら、この静電気的な吸着様式の吸着力は弱く、日々のシャンプー洗浄により界面活性剤および油性成分が洗い流されるため、効果は一時的であり持続しない。一方、カチオン性界面活性剤を多量に配合することにより持続性をある程度向上させることが考えられるが、毛髪への吸着様式と同様にして皮膚にも吸着し、カチオン性界面活性剤等に起因する、かゆみ、炎症等の皮膚刺激、あるいは、べたつき等が生じて毛髪の平滑性を損なう等の問題を生じる。
　【０００４】
　また、特開平５−４９０７号には、リン脂質および高分子量シリコーンを含有してなる毛髪化粧料が開示されている。しかし、この毛髪化粧料においてもコンディショニング効果はある程度持続するもののその効果は十分でなく改善が望まれている。
　【０００５】
　【発明が解決しようとする課題】
　かかる事情に鑑み、本発明の目的は毛髪に優れた柔軟性と平滑性を付与し、しかもその柔軟性が長期間にわたり持続される毛髪化粧料組成物を提供することにある。
　【０００６】
　【課題を解決するための手段】
　本発明者らは、かかる問題点を考慮し鋭意検討した結果、驚くべきことには、毛髪化粧料組成物にリン脂質と特定のアルコールとを含有させることにより、リン脂質が毛髪表面や毛髪内部に十分に吸着ないしは浸透し、毛髪に優れた柔軟性と平滑性を付与することができ、しかもその柔軟性が長期にわたり持続されることを見い出し本発明を完成するに至った。
　【０００７】
　すなわち、本発明は、１種または２種以上のリン脂質を０．１〜１０重量％、および
　
シャンプーを除く
　【０００８】
　以下に本発明を詳しく説明する。
　本発明に含有させるべきリン脂質としては、フォスファチジルコリン、ジパルミトイルフォスファチジルコリン、フォスファチジルイノシトール、フォスファチジルセリン、スフィンゴエミリン、大豆レシチン、卵黄レシチン、およびレシチン誘導体等が例示される。また、レシチン誘導体としては、大豆または卵黄レシチンの精製物、水素添加物、水酸化レシチン、リゾレシチン等が例示される。とりわけ、大豆レシチン、卵黄レシチン、および大豆レシチンと卵黄レシチンの精製物、水素添加物、水酸化レシチン、およびリゾレシチンが好ましい。これらはいずれも公知の成分であり、商業的に入手できる。
　【０００９】
　これら成分は、１種または２種以上を任意に組み合せて含有させることができ、その含有量は組成物全量に基づいて０．１〜１０重量％が好ましく、１．０〜５．０重量％が特に好ましい。含有量が０．１重量％未満であると毛髪に十分な柔軟性、平滑性を付与できず、１０重量％を超えるとべたつき等が生じて使用感が損なわれるので好ましくない。
　【００１０】
　次に、本発明に含有させるべきアルコールは、
　
　
　
　【００１１】
　これらのアルコールは、１種あるいは２種以上を任意に組み合わせて含有させることができ、その含有量は組成物全量に基づいて、０．１〜３０重量％が好ましく、０．５〜１０重量％が特に好ましい。含有量が０．１重量％未満であるとリン脂質が毛髪に十分に吸着せず、また３０重量％を超えて含有させても、それ以上の効果の向上は認められない。
　【００１２】
　本発明の毛髪化粧料組成物は、所望により、公知の界面活性剤、油分、着色料、香料、ｐＨ調整剤、および防腐剤等を含有させることができる。本発明の毛髪化粧料組成物は、常法により、液剤、ペースト製剤、泡沫製剤、乳化製剤等の種々の製剤とすることができ、ヘアリンス、乳液、ヘアブロー、ヘアトリートメント、ヘアエッセンス等に利用できる。
　【００１３】
　【実施例】
　以下に、実施例を挙げて本発明をさらに詳しく説明するが、本発明はこれらに限定されるものではない。なお、特にことわらない限り「％」は重量％を示す。
　【００１４】
　以下の表１に示す実施例１〜
４
　【００１５】
評価方法
１．吸着性の評価
　１日１回使用、２日に１回のシャンプー洗浄を仮定して、下記の表１に示される実施例１〜
４
　
　
　各組成物１．５ｇを、毛束（３ｇ）に均一に噴霧した後、５５℃にて１時間乾燥した。
　この操作を２回繰り返した後、毛束を１０％ラウリル硫酸ナトリウム（ＳＬＳ）水溶液で洗浄し、水で濯いだ後、５５℃にて乾燥した。
　この一連の操作を５回繰り返して処理し、下式により毛髪への吸着性を評価した。
　【００１６】
　　吸着性（％）＝１００×（処理後の毛束重量−処理前の毛束重量）／処理前の毛束重量
　【００１７】
　上式においては、吸着性の数値が大きいほど、毛髪の表面あるいは内部に吸着した成分の分量が多いことを示す。
　【００１８】
２．柔軟性の評価
　専門パネラー（２０才代女性、５名）が、表１の実施例１〜
４
　　◎：４名以上が柔軟性を認めた。
　　○：３名が柔軟性を認めた。
　　△：２名が柔軟性を認めた。
　　×：１名以下が柔軟性を認めた。
　【００１９】
３．平滑性の評価
　専門パネラー（２０才代女性、５名）が、実施例１〜
４
　　◎：４名以上が平滑性を認めた。
　　○：３名が平滑性を認めた。
　　△：２名が平滑性を認めた。
　　×：１名以下が平滑性を認めた。
　【００２０】
４．柔軟性の持続性の評価
　２．および３．の評価をした後に、専門パネラーに洗髪、乾燥させてもらい、以下の判定基準により毛髪の柔軟性の官能評価を行った。
　　◎：４名以上が柔軟性を認めた。
　　○：３名が柔軟性を認めた。
　　△：２名が柔軟性を認めた。
　　×：１名以下が柔軟性を認めた。
　【００２１】
５．総合評価
　前記４項目の評価結果から、以下の判定基準により総合的に評価した。
　　○：毛髪への吸着性が３．０以上、毛髪の柔軟性、平滑性、柔軟性の持続性が、それぞれ◎または○の条件を満たす。
　　×：上記の条件を満たさない。
　【００２２】
　【表１】
　【００２３】
　表１に示す結果から、実施例１〜
４
　【００２４】
　実施例
５
　　　成　分　　　　　　　　　　　　　　　　　　　　　　　　配合量（％）
（Ａ）
　　卵黄レシチン　　　　　　　　　　　　　　　　　　　　　　　３．０
　　２−フェニルエタノール　　　　　　　　　　　　　　　　　　３．０
　　ポリオキシエチレン（１０）セチルエーテル　　　　　　　　　１．５
　　グリセリン　　　　　　　　　　　　　　　　　　　　　　　　２．０
　　カルボキシビニルポリマー　　　　　　　　　　　　　　　　　０．１
　　水　　　　　　　　　　　　　　　　　　　　　　　　　　　　残　量
（Ｂ）
　　スクワラン　　　　　　　　　　　　　　　　　　　　　　　　２．０
（Ｃ）
　　トリエタノールアミン　　　　　　　　　　　　　　　　　　　０．１
　　合　計　　　　　　　　　　　　　　　　　　　　　　　　１００．０
　成分（Ａ）を混合して６０℃に加熱し、これに６０℃に加熱した成分（Ｂ）を添加し、撹拌混合して乳化させる。十分に乳化させたら、該乳化物を撹拌しつつ徐々に冷却し、撹拌混合して乳化させる、該組成物の温度が約５０℃になったら成分（Ｃ）を添加して、さらに撹拌して均一化して乳液組成物を得た。
　【００２５】
　実施例
６
　　　成　分　　　　　　　　　　　　　　　　　　　　　　　　配合量（％）
　　水酸化レシチン　　　　　　　　　　　　　　　　　　　　　　２．０
　　ベンジルアルコール　　　　　　　　　　　　　　　　　　　　３．０
　　ポリオキシエチレン（６０）硬化ヒマシ油　　　　　　　　　　０．５
　　香料　　　　　　　　　　　　　　　　　　　　　　　　　　　０．１
　　９５％エタノール　　　　　　　　　　　　　　　　　　　　１０．０
　　水　　　　　　　　　　　　　　　　　　　　　　　　　　　　残　量
　　合　計　　　　　　　　　　　　　　　　　　　　　　　　１００．０
　上記成分を混合溶解してヘアブロー組成物を得た。
　【００２６】
　実施例
７
　　　成　分　　　　　　　　　　　　　　　　　　　　　　　　配合量（％）
（Ａ）
　　塩化ステアリルトリメチルアンモニウム　　　　　　　　　　　２．０
　　リゾレシチン　　　　　　　　　　　　　　　　　　　　　　　４．０
　　ジメチルベンジルカービノール　　　　　　　　　　　　　　　５．０
　　セチルアルコール　　　　　　　　　　　　　　　　　　　　　３．０
　　ジメチルポリシロキサン（１００センチストークス）　　　　　３．０
（Ｂ）
　　プロピレングリコール　　　　　　　　　　　　　　　　　　　５．０
　　防腐剤　　　　　　　　　　　　　　　　　　　　　　　　　　微　量
　　水　　　　　　　　　　　　　　　　　　　　　　　　　　　　残　量
（Ｃ）
　　香料　　　　　　　　　　　　　　　　　　　　　　　　　　　０．１
　　合計　　　　　　　　　　　　　　　　　　　　　　　　　１００．０
　成分（Ｂ）を混合して８０℃に加熱し、これに８０℃に加熱した成分（Ａ）を添加し、撹拌混合して乳化させる。十分に乳化させたら、該乳化物を撹拌しつつ徐々に約５０℃に冷却し、成分（Ｃ）を添加してヘアトリートメント組成物を得た。
　【００２７】
　実施例
８
　　　成　分　　　　　　　　　　　　　　　　　　　　　　　　配合量（％）
（Ａ）
　　フォスファチジルコリン　　　　　　　　　　　　　　　　　　１．５
　　２−フェニルエタノール　　　　　　　　　　　　　　　　　　３．０
　　ポリオキシエチレン（５）セチルエーテル　　　　　　　　　　０．５
　　ポリエーテル変性シリコーン　　　　　　　　　　　　　　　　０．５
　　水　　　　　　　　　　　　　　　　　　　　　　　　　　　　残　量
（Ｂ）
　　９５％エタノール　　　　　　　　　　　　　　　　　　　　　５．０
　　ジブチルヒドロキシトルエン　　　　　　　　　　　　　　　　微　量
　　香料　　　　　　　　　　　　　　　　　　　　　　　　　　　０．１
　　合　計　　　　　　　　　　　　　　　　　　　　　　　　１００．０
　成分（Ａ）と（Ｂ）を混合して製造した原液９０重量部と噴射剤（液化石油ガス）１０重量部とをエアゾール容器に充填する。
　このように製造した実施例
５
８
　【００２８】
　【発明の効果】
　本発明によれば、１種または２種以上のリン脂質と、１種または２種以上の